【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
画像撮影手段からの出力画像に対し画像処理を行う画像処理装置であって、
前記画像撮影手段の撮像面上の所定位置を示すマークを画像内に記録する付加手段と、該付加手段で処理された画像を回転或いは反転する画像回転反転手段とを有することを特徴とする画像処理装置。
【請求項２】
画像撮影手段からの出力画像に対し画像処理を行う画像処理装置であって、
前記画像撮影手段の撮像面上の所定位置を示す情報を画像ヘッダに付加する付加手段と、該付加手段で処理された画像を回転或いは反転する画像回転反転手段とを有することを特徴とする画像処理装置。
【請求項３】
前記画像回転反転手段で回転或いは反転された画像を表示する表示制御手段を有することを特徴とする請求項１または２に記載の画像処理装置。
【請求項４】
撮影画像をトリミングする画像切出し手段を有し、前記付加手段は、前記画像切出し手段によるトリミング終了後に前記マークの記録を行い、前記画像回転反転手段は、前記付加手段で前記マークが記録された画像を回転或いは反転することを特徴とする請求項１乃至３の何れかに記載の画像処理装置。
【請求項５】
被写体にＸ線を曝射するＸ線発生手段と、被写体を透過したＸ線に基づき画像撮影を行う前記画像撮影手段とを有する画像撮影装置からの出力画像に対し画像処理を行うことを特徴とする請求項１乃至４の何れかに記載の画像処理装置。
【請求項６】
予め設定された出力サイズに基づきＸ線の照射野領域の配置座標を計算する照射領域配置計算手段を有することを特徴とする請求項５記載の画像処理装置。
【請求項７】
前記画像切出し手段は、前記照射領域配置計算手段で計算された配置座標に基づき撮影画像をトリミングすることを特徴とする請求項６記載の画像処理装置。
【請求項８】
前記画像回転反転手段で回転或いは反転された画像を圧縮して出力する出力手段を有することを特徴とする請求項１乃至７の何れかに記載の画像処理装置。
【請求項９】
外部ネットワークや外部機器との間でデータ送受が可能であることを特徴とする請求項１乃至８の何れかに記載の画像処理装置。
【請求項１０】
画像撮影装置と、該画像撮影装置からの出力画像に対し画像処理を行う画像処理装置とを有する画像撮影処理システムであって、
前記画像撮影装置は、被写体にＸ線を曝射するＸ線発生手段と、被写体を透過したＸ線に基づき画像撮影を行う画像撮影手段とを有し、
前記画像処理装置は、前記画像撮影手段の撮像面上の所定位置を示すマークを画像内に記録する付加手段と、該付加手段で処理された画像を回転或いは反転する画像回転反転手段とを有することを特徴とする画像撮影処理システム。
【請求項１１】
画像撮影装置と、該画像撮影装置からの出力画像に対し画像処理を行う画像処理装置とを有する画像撮影処理システムであって、
前記画像撮影装置は、被写体にＸ線を曝射するＸ線発生手段と、被写体を透過したＸ線に基づき画像撮影を行う画像撮影手段とを有し、
前記画像処理装置は、前記画像撮影手段の撮像面上の所定位置を示す情報を画像ヘッダに付加する付加手段と、該付加手段で処理された画像を回転或いは反転する画像回転反転手段とを有することを特徴とする画像撮影処理システム。
【請求項１２】
画像撮影手段からの出力画像に対し画像処理を行う画像処理装置或いは画像撮影処理システムに適用される画像処理方法であって、
前記画像撮影手段の撮像面上の所定位置を示すマークを画像内に記録する付加ステップと、該付加ステップで処理された画像を回転或いは反転する画像回転反転ステップとを有することを特徴とする画像処理方法。
【請求項１３】
画像撮影手段からの出力画像に対し画像処理を行う画像処理装置或いは画像撮影処理システムに適用される画像処理方法であって、
前記画像撮影手段の撮像面上の所定位置を示す情報を画像ヘッダに付加する付加ステップと、該付加ステップで処理された画像を回転或いは反転する画像回転反転ステップとを有することを特徴とする画像処理方法。
【請求項１４】
前記画像回転反転ステップで回転或いは反転された画像を表示する表示制御ステップを有することを特徴とする請求項１２または１３に記載の画像処理方法。
【請求項１５】
撮影画像をトリミングする画像切出しステップを有し、前記付加ステップでは、前記画像切出しステップによるトリミング終了後に前記マークの記録を行い、前記画像回転反転ステップでは、前記付加ステップで前記マークが記録された画像を回転或いは反転することを特徴とする請求項１２乃至１４の何れかに記載の画像処理方法。
【請求項１６】
被写体にＸ線を曝射するＸ線発生ステップと、被写体を透過したＸ線に基づき画像撮影を行う前記画像撮影手段とを有する画像撮影装置からの出力画像に対し画像処理を行うことを特徴とする請求項１２乃至１５の何れかに記載の画像処理方法。
【請求項１７】
予め設定された出力サイズに基づきＸ線の照射野領域の配置座標を計算する照射領域配置計算ステップを有することを特徴とする請求項１６記載の画像処理方法。
【請求項１８】
前記画像切出しステップでは、前記照射領域配置計算ステップで計算された配置座標に基づき撮影画像をトリミングすることを特徴とする請求項１７記載の画像処理方法。
【請求項１９】
前記画像回転反転ステップで回転或いは反転された画像を圧縮して出力する出力ステップを有することを特徴とする請求項１２乃至１８の何れかに記載の画像処理方法。
【請求項２０】
外部ネットワークや外部機器との間でデータ送受が可能な画像処理装置或いは画像撮影処理システムに適用可能であることを特徴とする請求項１２乃至１９の何れかに記載の画像処理方法。
【請求項２１】
画像撮影手段からの出力画像に対し画像処理を行う画像処理装置或いは画像撮影処理システムに適用される画像処理方法を実行するプログラムを記憶したコンピュータにより読み出し可能な記憶媒体であって、
前記プログラムは、前記画像撮影手段の撮像面上の所定位置を示すマークを画像内に記録する付加ステップと、該付加ステップで処理された画像を回転或いは反転する画像回転反転ステップとを有することを特徴とする記憶媒体。
【請求項２２】
画像撮影手段からの出力画像に対し画像処理を行う画像処理装置或いは画像撮影処理システムに適用される画像処理方法を実行するプログラムを記憶したコンピュータにより読み出し可能な記憶媒体であって、
前記プログラムは、前記画像撮影手段の撮像面上の所定位置を示す情報を画像ヘッダに付加する付加ステップと、該付加ステップで処理された画像を回転或いは反転する画像回転反転ステップとを有することを特徴とする記憶媒体。
【手続補正２】
【補正対象書類名】明細書
【補正対象項目名】０００８
【補正方法】変更
【補正の内容】
【０００８】
【課題を解決するための手段】
上記目的を達成するために、請求項１記載の本発明は、画像撮影手段からの出力画像に対し画像処理を行う画像処理装置であって、前記画像撮影手段の撮像面上の所定位置を示すマークを画像内に記録する付加手段と、該付加手段で処理された画像を回転或いは反転する画像回転反転手段とを有することを特徴とする。
請求項２記載の本発明は、画像撮影手段からの出力画像に対し画像処理を行う画像処理装置であって、前記画像撮影手段の撮像面上の所定位置を示す情報を画像ヘッダに付加する付加手段と、該付加手段で処理された画像を回転或いは反転する画像回転反転手段とを有することを特徴とする。
請求項３記載の本発明は、前記画像回転反転手段で回転或いは反転された画像を表示する表示制御手段を有することを特徴とする。
請求項４記載の本発明は、撮影画像をトリミングする画像切出し手段を有し、前記付加手段は、前記画像切出し手段によるトリミング終了後に前記マークの記録を行い、前記画像回転反転手段は、前記付加手段で前記マークが記録された画像を回転或いは反転することを特徴とする。
請求項５記載の本発明は、被写体にＸ線を曝射するＸ線発生手段と、被写体を透過したＸ線に基づき画像撮影を行う前記画像撮影手段とを有する画像撮影装置からの出力画像に対し画像処理を行うことを特徴とする。
請求項６記載の本発明は、予め設定された出力サイズに基づきＸ線の照射野領域の配置座標を計算する照射領域配置計算手段を有することを特徴とする。
請求項７記載の本発明は、前記画像切出し手段は、前記照射領域配置計算手段で計算された配置座標に基づき撮影画像をトリミングすることを特徴とする。
請求項８記載の本発明は、前記画像回転反転手段で回転或いは反転された画像を圧縮して出力する出力手段を有することを特徴とする。
請求項９記載の本発明は、外部ネットワークや外部機器との間でデータ送受が可能であることを特徴とする。
請求項１０記載の本発明は、画像撮影装置と、該画像撮影装置からの出力画像に対し画像処理を行う画像処理装置とを有する画像撮影処理システムであって、前記画像撮影装置は、被写体にＸ線を曝射するＸ線発生手段と、被写体を透過したＸ線に基づき画像撮影を行う画像撮影手段とを有し、前記画像処理装置は、前記画像撮影手段の撮像面上の所定位置を示すマークを画像内に記録する付加手段と、該付加手段で処理された画像を回転或いは反転する画像回転反転手段とを有することを特徴とする。
請求項１１記載の本発明は、画像撮影装置と、該画像撮影装置からの出力画像に対し画像処理を行う画像処理装置とを有する画像撮影処理システムであって、前記画像撮影装置は、被写体にＸ線を曝射するＸ線発生手段と、被写体を透過したＸ線に基づき画像撮影を行う画像撮影手段とを有し、前記画像処理装置は、前記画像撮影手段の撮像面上の所定位置を示す情報を画像ヘッダに付加する付加手段と、該付加手段で処理された画像を回転或いは反転する画像回転反転手段とを有することを特徴とする。
請求項１２記載の本発明は、画像撮影手段からの出力画像に対し画像処理を行う画像処理装置或いは画像撮影処理システムに適用される画像処理方法であって、前記画像撮影手段の撮像面上の所定位置を示すマークを画像内に記録する付加ステップと、該付加ステップで処理された画像を回転或いは反転する画像回転反転ステップとを有することを特徴とする。
請求項１３記載の本発明は、画像撮影手段からの出力画像に対し画像処理を行う画像処理装置或いは画像撮影処理システムに適用される画像処理方法であって、前記画像撮影手段の撮像面上の所定位置を示す情報を画像ヘッダに付加する付加ステップと、該付加ステップで処理された画像を回転或いは反転する画像回転反転ステップとを有することを特徴とする。
請求項１４記載の本発明は、前記画像回転反転ステップで回転或いは反転された画像を表示する表示制御ステップを有することを特徴とする。
請求項１５記載の本発明は、撮影画像をトリミングする画像切出しステップを有し、前記付加ステップでは、前記画像切出しステップによるトリミング終了後に前記マークの記録を行い、前記画像回転反転ステップでは、前記付加ステップで前記マークが記録された画像を回転或いは反転することを特徴とする。
請求項１６記載の本発明は、被写体にＸ線を曝射するＸ線発生ステップと、被写体を透過したＸ線に基づき画像撮影を行う前記画像撮影手段とを有する画像撮影装置からの出力画像に対し画像処理を行うことを特徴とする。
請求項１７記載の本発明は、予め設定された出力サイズに基づきＸ線の照射野領域の配置座標を計算する照射領域配置計算ステップを有することを特徴とする。
請求項１８記載の本発明は、前記画像切出しステップでは、前記照射領域配置計算ステップで計算された配置座標に基づき撮影画像をトリミングすることを特徴とする。
請求項１９記載の本発明は、前記画像回転反転ステップで回転或いは反転された画像を圧縮して出力する出力ステップを有することを特徴とする。
請求項２０記載の本発明は、外部ネットワークや外部機器との間でデータ送受が可能な画像処理装置或いは画像撮影処理システムに適用可能であることを特徴とする。
請求項２１記載の本発明は、画像撮影手段からの出力画像に対し画像処理を行う画像処理装置或いは画像撮影処理システムに適用される画像処理方法を実行するプログラムを記憶したコンピュータにより読み出し可能な記憶媒体であって、前記プログラムは、前記画像撮影手段の撮像面上の所定位置を示すマークを画像内に記録する付加ステップと、該付加ステップで処理された画像を回転或いは反転する画像回転反転ステップとを有することを特徴とする。
請求項２２記載の本発明は、画像撮影手段からの出力画像に対し画像処理を行う画像処理装置或いは画像撮影処理システムに適用される画像処理方法を実行するプログラムを記憶したコンピュータにより読み出し可能な記憶媒体であって、前記プログラムは、前記画像撮影手段の撮像面上の所定位置を示す情報を画像ヘッダに付加する付加ステップと、該付加ステップで処理された画像を回転或いは反転する画像回転反転ステップとを有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００４９
【補正方法】変更
【補正の内容】
【００４９】
尚、特許請求の範囲における各構成要件と、本発明の実施の形態に係る照射野領域配置及びセンサ位置マーキング処理の制御系における各部との対応関係は下記の通りである。表示制御手段はオーバレイ部１０４に対応し、照射領域配置計算手段は照射領域配置計算部１０６に対応し、画像切出し手段は切り出し部１０９に対応し、付加手段はセンサ位置マーキング部１１１に対応し、画像回転反転手段は回転反転部１１２に対応し、出力手段は出力部１１４に対応し、Ｘ線発生手段はＸ線管球２０１、Ｘ線発生装置制御部２１０に対応し、画像撮影手段は固体撮像素子２０５に対応する。


【手続補正２９】
【補正対象書類名】明細書
【補正対象項目名】００８６
【補正方法】変更
【補正の内容】
【００８６】
【発明の効果】
以上説明したように、請求項１乃至３、請求項５乃至９記載の画像処理装置によれば、画像撮影手段の撮像面上の所定位置を示すマークを画像内に記録するか、或いは画像撮影手段の撮像面上の所定位置を示す情報を画像ヘッダに付加するため、従来の鉛文字では困難であった、鉛文字貼り付けミスを行った場合でも、更に画像内に記録されたマーク或いは画像ヘッダに付加された情報、即ち、画像撮影手段（センサ）位置情報を調べることにより、画像撮影手段（センサ）面に対して被写体がどのように撮影されたかを容易に想像することが可能となり、ＰＡ（背面から前面へ曝射される）撮影、ＡＰ（前面から背面へ曝射される）撮影がどのように行われたか、操作者の記憶をより確かにすることができるという効果がある。


【手続補正３０】
【補正対象書類名】明細書
【補正対象項目名】００８７
【補正方法】変更
【補正の内容】
【００８７】
また、請求項４記載の画像処理装置によれば、画像切り出し処理（トリミング）終了後にマークを画像内に記録するマーキング処理を行うため、上記請求項１乃至３、請求項５乃至９と同様の効果を奏する他に、画像切出し処理によりマーキングが消えることがないという効果もある。


【手続補正３１】
【補正対象書類名】明細書
【補正対象項目名】００８８
【補正方法】変更
【補正の内容】
【００８８】
また、請求項１０及び１１記載の画像撮影処理システムによれば、システムを構成する画像処理装置において、画像撮影手段の撮像面上の所定位置を示すマークを画像内に記録するか、或いは画像撮影手段の撮像面上の所定位置を示す情報を画像ヘッダに付加するため、従来の鉛文字では困難であった、鉛文字貼り付けミスを行った場合でも、更に画像内に記録されたマーク或いは画像ヘッダに付加された情報、即ち、画像撮影手段（センサ）位置情報を調べることにより、画像撮影手段（センサ）面に対して被写体がどのように撮影されたかを容易に想像することが可能となり、ＰＡ（背面から前面へ曝射される）撮影、ＡＰ（前面から背面へ曝射される）撮影がどのように行われたか、操作者の記憶をより確かにすることができるという効果がある。


【手続補正３２】
【補正対象書類名】明細書
【補正対象項目名】００８９
【補正方法】変更
【補正の内容】
【００８９】
また、請求項１２乃至１４、請求項１６乃至２０記載の画像処理方法によれば、画像処理方法が適用される画像処理装置において、画像撮影手段の撮像面上の所定位置を示すマークを画像内に記録するか、或いは画像撮影手段の撮像面上の所定位置を示す情報を画像ヘッダに付加するため、従来の鉛文字では困難であった、鉛文字貼り付けミスを行った場合でも、更に画像内に記録されたマーク或いは画像ヘッダに付加された情報、即ち、画像撮影手段（センサ）位置情報を調べることにより、画像撮影手段（センサ）面に対して被写体がどのように撮影されたかを容易に想像することが可能となり、ＰＡ（背面から前面へ曝射される）撮影、ＡＰ（前面から背面へ曝射される）撮影がどのように行われたか、操作者の記憶をより確かにすることができるという効果がある。


【手続補正３３】
【補正対象書類名】明細書
【補正対象項目名】００９０
【補正方法】変更
【補正の内容】
【００９０】
また、請求項１５記載の画像処理方法によれば、画像処理方法が適用される画像処理装置において、画像切り出し処理（トリミング）終了後にマークを画像内に記録するマーキング処理を行うため、上記請求項１２乃至１４、請求項１６乃至２０と同様の効果を奏する他に、画像切出し処理によりマーキングが消えることがないという効果もある。


【手続補正３４】
【補正対象書類名】明細書
【補正対象項目名】００９１
【補正方法】変更
【補正の内容】
【００９１】
また、請求項２１及び２２記載の記憶媒体によれば、記憶媒体から画像処理方法を読み出して実行し、画像撮影手段の撮像面上の所定位置を示すマークを画像内に記録するか、或いは画像撮影手段の撮像面上の所定位置を示す情報を画像ヘッダに付加するため、従来の鉛文字では困難であった、鉛文字貼り付けミスを行った場合でも、更に画像内に記録されたマーク或いは画像ヘッダに付加された情報、即ち、画像撮影手段（センサ）位置情報を調べることにより、画像撮影手段（センサ）面に対して被写体がどのように撮影されたかを容易に想像することが可能となり、ＰＡ（背面から前面へ曝射される）撮影、ＡＰ（前面から背面へ曝射される）撮影がどのように行われたか、操作者の記憶をより確かにすることができるという効果がある。